(57)【要約】【課題】この発明は、両側の操作ボタンの操作機能を維持しながら１部品の操作ボタンで構成することにより、小型化の実現を可能にした入力装置および電子機器を提供することを目的とする。【解決手段】この発明は、左右の操作ボタン部分を一体化した一体型操作ボタンを設け、この一体型操作ボタンを左右方向にシーソ状に傾動許容して設けることにより、単一の部品でありながら左右両側に入力操作部を設けることができる部品点数の削減と左右方向の小型化を図った入力装置であることを特徴とする。【選択図】　図５
2004139256.tif 000002
【特許請求の範囲】
【請求項１】
利用者の指先に触れて回動および押下自由に保持された回転体と、該回転体の両側位置に押下自由に保持された左右の操作ボタンとを、装置本体のベース上に搭載し、前記回転体と左右の操作ボタンの押下方向に対向する下面側のベース上には、前記回転体と左右の操作ボタンとの各押下検知スイッチを対設した入力装置であって、
前記左右の操作ボタンを一体化した一体型操作ボタンを設け、
前記一体型操作ボタンの中間部を前記ベース上に軸支して左右方向にシーソ状に傾動許容して設けた
入力装置。
【請求項２】
前記回転体の下面中央頂部の真下に対向する対向部材に、前記回転体の下面中央頂部を沈み込ませる逃し穴を開口して設けた
請求項１記載の入力装置。
【請求項３】
前記一体型操作ボタンは、左右方向にシーソ状に傾動許容する軸支部を、左右位置での押下負荷の軽重設定用に左右方向の中心位置より一方にずらして軸支した
請求項１または２記載の入力装置。
【請求項４】
前記回転体の軸方向を装置本体の上面左右方向に横架し、該回転体の下面側に対向する押下検知スイッチを、前記回転体の軸方向中心線上の位置より手前側に設定して配設し、
前記一体型操作ボタンの下面側に対向する左右の押下検知スイッチを、前記回転体の軸方向中心線上の位置より奥側に設定して配設した
請求項１、２または３記載の入力装置。
【請求項５】
前記回転体に永久磁石を備え、該永久磁石の極性を検知することに基づいて前記回転体に入力操作された回転方向および回転量を検知する非接触の検知手段を備えた
請求項１、２、３または４記載の入力装置。
【請求項６】
請求項１、２、３、４または５記載の入力装置を備えた電子機器。
【発明の詳細な説明】
【０００１】
【発明の属する技術分野】
この発明は、例えば携帯電話機の入力操作面に備えられるような入力装置に関し、さらに詳しくは部品点数の削減を図って、より一層小型化を可能にした入力装置および電子機器に関する。
【０００２】
【従来の技術】
一般に、携帯電話機やパソコンなどの電子機器に備えられるような入力装置の一例として、携帯電話機の上面に、表示器と、ダイヤル部と、左右の押しボタン（操作ボタン）と、テンキーおよび各種入力キーとを搭載し、このうちダイヤル部と、左右の押しボタンとを使って表示器に表示される画像をスクロール、あるいは画面上のカーソルを任意の方向に移動している。
【０００３】
この場合、携帯電話機の上面に、回転自由にローラ面の一部が突出する円柱形状のダイヤル部を利用者が指先で回転操作したときに得られる回転方向および回転量との回転情報を正確に検知するために、ダイヤル部の軸部に備えたエンコーダによってダイヤル部の回転情報を求めている。
【０００４】
また、左右の押しボタンが押下操作されたとき、その下方に押下対応する左右の何れかの検知スイッチが押下されて、押下入力情報を検知している（例えば特許文献１参照。）。
【０００５】
【特許文献１】
特開２００１−２８３６８５号公報。
【０００６】
【発明が解決しようとする課題】
しかしながら、左右の押しボタンは中央部のダイヤル部を挟む両側位置に独立して個々に配設されているため、両側の押しボタンと、それぞれの軸支構造を要して部品点数や組立工数が多くなり、コスト高の原因になっていた。
【０００７】
また、近年、電子機器の小型化に伴い、その入力操作部に備えられる入力装置も小型化が要請されており、これらのダイヤル部と左右の押しボタンとの３点を有する入力装置のままで小型化を進めていくと、動作部と作用点との距離が短くなり過ぎて動作し難いものになってしまう。さらに、左右の押しボタンにあっては、小部品になって部品強度が弱くなってしまう問題を有していた。
【０００８】
そこでこの発明は、このような問題に着目してなされたもので、両側の操作ボタンの操作機能を維持しながら１部品の操作ボタンで構成することにより、小型化の実現を可能にした入力装置および電子機器を提供することを目的とする。
【０００９】
【課題を解決するための手段】
この発明は、利用者の指先に触れて回動および押下自由に保持された回転体と、該回転体の両側位置に押下自由に保持された左右の操作ボタンとを、装置本体のベース上に搭載し、前記回転体と左右の操作ボタンの押下方向に対向する下面側のベース上には、前記回転体と左右の操作ボタンとの各押下検知スイッチを対設した入力装置であって、前記左右の操作ボタンを一体化した一体型操作ボタンを設け、前記一体型操作ボタンの中間部を前記ベース上に軸支して左右方向にシーソ状に傾動許容して設けたことを特徴とする。
【００１０】
ここで回転体とは、例えば軸方向両端部を軸支して正逆転自由に回転操作する円柱形状の軸体で構成することができる。
【００１１】
前記操作ボタンとは、上方より押下操作可能に下方から反転バネを弾性対向させて配置し、この操作ボタンが反転バネに抗して押下されたときにスイッチング操作して押下信号を検知する。
【００１２】
前記ベースとは、各部品を搭載する平板状の基板で構成することができる。
【００１３】
前記押下検知スイッチとは、操作ボタンに対応して接点部間が開閉操作される反転バネスイッチで構成することができる。
【００１４】
前記入力装置とは、利用者による指先での入力操作に適した例えば携帯電話機やパソコンなどの入力操作面に適用することができる。
【００１５】
前記一体型操作ボタンとは、左右両側の操作ボタンを１つに連結した一体型の操作ボタンであり、この中央部を軸支することによって左右方向にシーソ状に傾動許容させることができ、その傾動時に押して左右何れかを入力操作可能に構成することができる。また、一体化に際しては、中央部の回転体の介在スペースを隔てて左右に連結すれば、容易に一体構成することができる。
【００１６】
この発明の構成によれば、シーソ状に傾動許容する一体型操作ボタンが押下されて傾動したときの傾動した側の入力操作を可能に構成できるため、この単一の一体型操作ボタンを配設するだけで両側の入力操作機能を持たせることができる。
【００１７】
このため、左右両側に必要な入力操作部を単一部品でまかなうことができ、両側の操作機能を維持しながら１部品で構成できるため左右方向の小型化が可能になる。特に、この場合は両側の操作ボタンを１つにできるだけでなく、両側の軸支構造をも削減して部品点数の削減および組立工数の削減が図れ、低コスト化にもつながる。
【００１８】
また、小型化を進めても一体型操作ボタンは小部品にならないため十分な部品強度を有することができ、信頼性の高い入力装置が得られる。
【００１９】
さらに、一体型操作ボタンは中央部を支点に傾動する軸支構成のため、該ボタンの動作部と作用点との距離を十分長く確保することができ、スイッチング動作にも適している。
この発明の他の実施の形態として、回転体の下面中央頂部の真下に対向する対向部材に、前記回転体の下面中央頂部を沈み込ませる逃し穴を開口して設けたことを特徴とする。
【００２０】
ここで対向部材とは、回転体を搭載したときの下方に対向する例えばベースとフレキシブル基板である。
【００２１】
前記逃し穴とは、回転体の全体を下げたとき、その下面中央頂部が触れない形状に開口した穴であり、回転体の大きさに応じた形状に開口すればよい。
【００２２】
このように構成した場合は、回転体の下面中央頂部が下方の逃し穴に臨んで沈み込ませることができるため、該回転体の全体の高さを下げて取付けることができる。この結果、高さ方向に大きな配置スペースを要する回転体の取付け高さを抑制して高さ方向の小型化に貢献できる。
【００２３】
この発明の他の実施の形態として、左右方向にシーソ状に傾動許容する一体型操作ボタンの軸支部を、左右位置での押下負荷の軽重設定用に左右方向の中心位置より一方にずらして軸支したことを特徴とする。
【００２４】
このように構成した場合は、左右両側に配設される押下検知スイッチの個々の構造を変えずに、双方に適した所望の軽重負荷のスイッチング操作力に設定することができる。例えば、左側を頻繁に使用するため負荷の小さい軽負荷操作用に設定し、右側を使用頻度が少なく重要度が高いなどの理由で負荷の大きい重負荷操作用に設定することができる。
【００２５】
この発明の他の実施の形態として、前記回転体の軸方向を装置本体の上面左右方向に横架し、該回転体の下面側に対向する押下検知スイッチを、前記回転体の軸方向中心線上の位置より手前側に設定して配設し、前記一体型操作ボタンの下面側に対向する左右の押下検知スイッチを、前記回転体の軸方向中心線上の位置より奥側に設定して配設して構成することができる。
【００２６】
このように構成した場合は、利用者が指先で回転体を回転操作したとき、回転体の軸方向中心線上の位置より手前側から前方に向けて操作力が加わることがあり、この場合に回転操作と同時に前方に対して斜め下向きの押下力が混合して加わり、回転操作であるにも拘らず、力が入り過ぎて回転体が押下操作されてしまったときにも、その押下対応する前方の斜め下方には押下検知スイッチがないため誤操作は解消される。
【００２７】
例えば、携帯電話機を片手で握ったとき、その握った方の親指の腹で回転体を前方に回転操作したとき、その押下対応する前方の斜め下方には押下検知スイッチはなく、軸方向中心線上の位置より手前側に押下検知スイッチが配設してあることから、回転操作時に誤った押下力がかからず、回転操作時には回転操作力だけを検知して誤押下操作は解消される。
【００２８】
また、一体型操作ボタンの下面側に対向する左右の押下検知スイッチを、前記回転体の軸方向中心線上の位置より奥側に設定して配設しているため、回転体の押下検知スイッチと一体型操作ボタンの左右の押下検知スイッチとの合計３個の押下検知スイッチを配設する場合に、前後方向に対して分散配置することができる。このため、押下検知スイッチを配設するための配置領域は左右方向に広がらず、左右方向を狭めて小型化を図ることができる。
【００２９】
この発明の他の実施の形態として、利用者の指先に触れて回動および押下自由に保持された回転体を設け、前記回転体に永久磁石を備え、該永久磁石の極性を検知することに基づいて前記回転体に入力操作された回転方向および回転量を検知する非接触の検知手段を備えた入力装置を構成することができる。
【００３０】
ここで永久磁石とは、細部への組込みに適した製作自由度の高い磁石、例えば磁性粉と樹脂とを混合して任意の形状に製作することができるボンド磁石を用いて構成することができる。
【００３１】
前記検知手段とは、永久磁石のＮ極とＳ極との極性を検知して電気信号に変換する例えばホールＩＣで構成することができる。
【００３２】
このように構成した場合は、回転体と一体に回転する永久磁石の回転時のＮ極とＳ極との周方向の異極性間に交互に表れる磁界の強弱変化や発生数などの極性の変化を検知することによって、回転体の正逆の回転方向と回転量との回転情報を非接触に検知することができる。このため、物理的に回転接触して回転情報を取得する検知手段に比べて磨耗する部分がなくなり、またその回転接触部分への塵や埃が付着して接触性能を劣化させるような悪影響をも受けなくなる。このため信頼性の高い検知性能および半永久的な寿命延長が図れる。
【００３３】
さらに、一体型操作ボタンを備えた場合に、これらのボタンの真下に上下方向の押下ストロークを得るための内部空間を必要とするが、この内部空間に相当する回転体の一端部の小径軸上に永久磁石を効率よく周設して組込むことができるため、永久磁石を組込んでも入力装置は大型化することはない。
【００３４】
このような入力装置を、例えば携帯電話機やパソコンなどの電子機器に備えた場合は、指先で細かく入力操作するのに適した信頼性の高い小型の入力装置として能率よく使用できる。
【００３５】
【発明の実施の形態】
この発明の一実施の形態を以下図面に基づいて説明する。
図面は携帯電話機に備えられる入力装置を示し、先ず、図１は携帯電話機１１を示し、この携帯電話機１１はケース本体１２の上面に、上側から表示器１３と入力装置１４と入力キー１５…とを順に配設し、ケース本体１２の上端あるいは背面側にはアンテナ（図面省略）を付設して一体的に構成している。
【００３６】
上述の入力装置１４は、ケース本体１２の上面から入力されたときの回転操作を検知するスイッチ機能と、その回転位置での押下操作を検知するスイッチ機能と、左右位置での独立した押下操作を検知する両スイッチ機能との合計４種類のスイッチ機能を有する複合的な入力機能を有して携帯電話機１１に組込まれる。
【００３７】
この入力装置１４は、図２および図３に示すように、上方より一体型操作ボタン１６と、操作ダイヤルユニット１７と、フレキシブル基板１８とを、この順に重ねてベース１９上に一体的に搭載している。
【００３８】
上述のベース１９は横長の長方板形状を有し、図４にも示すように、その上面長手方向の両側対向位置には、操作ダイヤルユニット１７を回動自由に軸支するための第１軸支孔２０ａを開口した左右一対の第１起立片２０とをそれぞれ立上らせて設けている。
【００３９】
また、ベース中央部の上面短手方向の前後対向位置には、一体型操作ボタン１６を軸支するための第２軸支孔２１ａを開口した第２起立片２１を立上らせて設けている。
【００４０】
これらの第１・第２起立片２０・２１は軸支機能だけでなく、略直角に起立した起立片がフレキシブル基板１８のベース形状に対応して設けられる外縁部および係止孔１８ａに係止して位置決めする役目を有しており、各起立片２０・２１で支持されるベース１９上にフレキシブル基板１８の前後左右が位置決めされて定位置に搭載される。
【００４１】
上述のフレキシブル基板１８は、ベース形状と対応する前端部の中央手前位置に第１押下検知スイッチＳＷ１を有し、その左奥側に第２押下検知スイッチＳＷ２を、右奥側に第３押下検知スイッチＳＷ３を有し、さらに左側の中央位置には後述する永久磁石と対応する回転情報検知用のホールＩＣ２２を搭載している。
【００４２】
上述の第１〜第３押下検知スイッチＳＷ１〜ＳＷ３は、円形反転バネ２４上に円形フィルム２３を重ね合せて一体化構成し、通常は円形反転バネ２４の中央部が中高に反転突出した状態にあり、この中央部上面に後述する押子が対設され、円形反転バネ２４が押下操作力を受けたとき、下向きに反転して押下検知スイッチをオンして検知信号を出力する。
【００４３】
図５は操作ダイヤルユニット１７がフレキシブル基板１８を介してベース１９上に取付けられた状態を示し、この操作ダイヤルユニット１７はタイヤ状の操作ダイヤル２５を横長の枠体２６上に回動自由に軸支した状態で搭載している。この枠体２６の左右両端部には第１支軸２６ａを突設しており、左右両側に突設した第１支軸２６ａが、前記ベース１９の両側に起立した両起立片２０の第１軸支孔２０ａに回動自由に軸支させ、また枠体２６の下面中央部に垂設した中央押子２７（図４参照）をベース１９上の第１押下検知スイッチＳＷ１に押下対応させて設けている。
【００４４】
この場合、操作ダイヤル２５の下面中央頂部の真下に対向するフレキシブル基板１８とベース１９には、前記操作ダイヤル２５の下面中央頂部を沈み込ませる逃し穴１８ｂ，１９ａを開口して設けている。
【００４５】
このような逃し穴１８ｂ，１９ａを設けることにより、操作ダイヤル２５をベース１９上に搭載したとき、操作ダイヤル２５の下面中央頂部が下方の逃し穴１８ｂ，１９ａに臨んで沈み込ませることができる。このため、該操作ダイヤル２５の全体高さを下げて取付けることができ、取付け高さ方向の配置スペースを抑制して高さ方向の小型化を図ることができる。
【００４６】
この操作ダイヤルユニット１７の取付け後に、一体型操作ボタン１６を取付けるものであり、この一体型操作ボタン１６は操作ダイヤル２５の両側上面をそれぞれ覆う如く山形の半円形状を両側に有して搭載される。この一体型操作ボタン１６は、前後面に突出する前後一対の第２支軸２８が、ベース１９の前後対向位置に起立した第２起立片２１の第２軸支孔２１ａにそれぞれ回動自由に軸支される。
【００４７】
また、一体型操作ボタン１６の下面左側に垂設した左押子２９が、フレキシブル基板１８上の第２押下検知スイッチＳＷ２に押下対応して設けられ、さらに同操作ボタン１６の下面右側に垂設した右押子３０がフレキシブル基板１８上の第３押下検知スイッチＳＷ３に押下対応して設けられる。
【００４８】
この場合、一体型操作ボタン１６は、左右両側の操作ボタン部分を１つに連結した一体型の操作ボタンであり、この中央部を軸支することによって左右方向にシーソ状に傾動許容させることができ、その傾動時に押して左右何れかを入力操作する。また、一体化に際しては、中央部の操作ダイヤル２５の介在スペースを隔てて左右に連結すれば、容易に一体構成することができる。
【００４９】
このように、シーソ状に傾動許容して設けた一体型操作ボタン１６は押下操作された側に傾動し、この傾動した側の入力操作を可能にしている。このため、単体の一体型操作ボタン１６を配設するだけで、両側の入力操作機能を持たせることができる。また、小型化を進めても一体型操作ボタン１６は小部品にならないため十分な部品強度を有することができ、信頼性の高い入力構造が得られる。
【００５０】
さらに、この一体型操作ボタン１６は中央部を支点に傾動する軸支構成のため、軸支部を基準とするボタン上面の押圧動作部と下部の押子が押下作用する作用点との距離を十分長く確保することができ、小型化を図っても安定したスイッチング動作が得られる。
【００５１】
また、この一体型操作ボタン１６の前後一対の第２支軸２８を、図５に想像線で示すように、左右位置での押下負荷の軽重設定用に左右方向の中心位置より一方にずらして設け、これを軸支するようにすれば、左右両側に配設される押下検知スイッチＳＷ２・ＳＷ３の個々の構造を変えずに、双方に適した所望の軽重負荷のスイッチング操作力に設定することができる。例えば、左側を頻繁に使用するため負荷の小さい軽負荷操作用に設定し、右側を使用頻度が少なく重要度が高いなどの理由で負荷の大きい重負荷操作用に設定することができる。
【００５２】
次に、第１〜第３押下検知スイッチＳＷ１〜ＳＷ３の検知構成について詳しく説明する。
【００５３】
先ず、第１押下検知スイッチＳＷ１と対応する操作ダイヤル２５が利用者の押下操作力を受けたとき、第１支軸２６ａを回動支点に枠体２６とともに下向きに回動して下面の中央押子２７が、その下方の第１押下検知スイッチＳＷ１を押下してスイッチング操作する。
【００５４】
この場合、第１押下検知スイッチＳＷ１の配設位置を、図６および図７に示すように、操作ダイヤル２５の軸方向中心線上の位置より若干手前側に設定して配設している。
【００５５】
これにより、操作ダイヤル２５の上面を利用者が指先Ｆで回転操作したときに、該操作ダイヤル２５の軸方向中心線上の位置より手前側から前方の斜め下方に向けて押す方向に操作力が加わっても、その前方の斜め下方には第１押下検知スイッチＳＷ１はなく、軸方向中心線上の位置より手前側に第１押下検知スイッチＳＷ１が配設してあることから、回転操作時に誤って押下力が前方の斜め下方に加わっても該スイッチＳＷ１には加わらず、回転操作時には回転操作力だけを検知して誤押下操作を解消した信頼性の高い検知信号が得られる。
【００５６】
この誤押下操作の回避機能は、特に携帯電話機１１を片手で握って、その握った方の親指で操作ダイヤル２５を前方に回転操作したときに親指の指先が屈曲状態から伸張する方向に勢いよく動いて、強い押下力が加わり易い傾向にあることから操作ダイヤル２５を介しての誤押下操作を回避するには顕著な効果が得られる。
【００５７】
また、一体型操作ボタン１６の下面側に対向する左右の押下検知スイッチＳＷ２・ＳＷ３を、操作ダイヤル２５の軸方向中心線上の位置より奥側に設定して配設している。このように配設しているため、合計３個の押下検知スイッチＳＷ１〜ＳＷ３を配設する場合に、前後方向に対して分散配置することができる。このため、押下検知スイッチを配設するための配置領域は左右方向に広がらず、左右方向を狭めて小型化配置を図ることができる。
【００５８】
また、第２押下検知スイッチＳＷ２と対応する一体型操作ボタン１６の左側が利用者の押下操作力を受けて上側から押下操作されたとき、該ボタン１６の第２支軸２８を回動支点に下向きに回動（左回転）して下面の左押子２９が、その下方に対応する第２押下検知スイッチＳＷ２を押下してスイッチング操作する。
【００５９】
同様に、第３押下検知スイッチＳＷ３と対応する一体型操作ボタン１６の右側が利用者の押下操作力を受けて上側から押下操作されたとき、該ボタン１６の第２支軸２８を回動支点に下向きに回動（右回転）して下面の右押子３０が、その下方に対応する第３押下検知スイッチＳＷ３を押下してスイッチング操作する。
【００６０】
これらの第１〜第３押下検知スイッチＳＷ１〜ＳＷ３に対するスイッチング操作時は、円形反転バネ２４を下向きに反転させたときの感触によって押下時の操作感触が得られる。指先を離した押下操作後は、押下力が解除されて円形反転バネ２４の上向きに反転する反転作用により、各押下検知スイッチＳＷ１〜ＳＷ３は押上げられて、元の上動位置に復帰する。
【００６１】
次に、操作ダイヤル２５の回転検知構造について説明する。
【００６２】
図８は操作ダイヤルユニット１７を分解して示し、この操作ダイヤルユニット１７は永久磁石３１と、操作ダイヤル２５とを通し軸３２を介して左側のコ型枠体３３と右側の枠止め板３４に一体に保持されている。
【００６３】
上述の操作ダイヤル２５は、円筒体の外周面に、指先が触れて正逆いずれかの回転操作力が加わったときに十分な接触抵抗を持たせて滑らないための回転操作に適した小さな凹凸を有する操作面３５を設け、この操作面３５より一側の小径軸部２５ａの端面には比較的大きな凹凸の操作感触用の放射状溝３６を形成し、後述する感触バネ３７に接触対応する。また、永久磁石３１は円筒体を有して操作ダイヤル２５と連設して通し軸３２上に軸支される。
【００６４】
この場合、永久磁石３１は細部への組込みに適した製作自由度の高い磁石、例えば磁性粉と樹脂とを混合して任意の形状に製作可能なボンド磁石などを用い、図９（Ａ）に示すように、筒体の外周面周方向にＮ極とＳ極との極性の異なる永久磁石を交互に等分（例えば６等分、好ましくは１２等分）して有している。このとき、永久磁石３１の外周面周方向の異極性間に磁界μが発生し、この磁界μの強弱変化や発生数を下方に近設するホールＩＣ２２で検知する。
【００６５】
ホールＩＣ２２は、永久磁石３１の略真下に対向する下方のフレキシブル基板１８の上面に位置をずらして２個搭載する。これにより、永久磁石３１が発する磁界μの強弱変化や発生数に対応する電気信号のズレを検知して、永久磁石３１の回転方向および回転量を検知している。
【００６６】
このように、操作ダイヤル２５が回転操作されたとき、これと一体に回転する永久磁石３１の磁界μの強弱変化や発生数をホールＩＣ２２が非接触に検知し、これを電気信号に変換するだけで操作ダイヤル２５の回転方向と回転量との回転情報を正確に求めることができる。
【００６７】
また、永久磁石３１の極性部分の配置形状は、ボンド磁石を用いて製作に適した任意の形状に設けることができる。例えば、図９（Ｂ）に示すように、左右一対の円形くし歯体３１ａ，３１ｂを互いに突き合せて一体に組合せることもできる。
【００６８】
このほかにも、図９（Ｃ）に示すように、筒体の端面環状方向にＮ極とＳ極とを交互に等分配設し、端面上で異極性間の磁界μの強弱変化と発生数を生じさせて永久磁石３１ｃの軸長さ方向の小型化を図るように構成することもできる。
【００６９】
上述のコ型枠体３３と枠止め板３４は、両側から突き合せて一体に設け、左側のコ型枠体３３に貫設した軸支孔３３ａに、通し軸３２の一端を挿通して軸支し、また右側の枠止め板３４に貫設した軸支孔３４ａに、通し軸３２の他端を挿通して軸支している。
【００７０】
このとき、右側の枠止め板３４の端面と操作ダイヤル２５の放射状溝３６との軸方向の対向面間には、操作ダイヤル２５の回転感触発生用の抵抗（クリック感）を与えるための感触バネ３７を介在させている。
【００７１】
上述の感触バネ３７は、板バネを逆Ｖ字形に設け、その逆Ｖ字面間に弾性を持たせた状態で軸方向に介在させるものであって、この感触バネ３７の中央部に突出させた図示しない感触突片に操作ダイヤル２５の放射状溝３６が接触対向し、該操作ダイヤル２５が正逆方向のいずれかに回転したとき、放射状溝３６の凹凸面が感触突片に間欠的に接触対応して、回転方向の操作感触が得られる。
【００７２】
この操作ダイヤル２５の操作感触は、これに限らず、例えば図９（Ａ）および図９（Ｂ）に示した永久磁石３１の外周面周方向のＮ極とＳ極に、Ｓ極とＮ極とを備えた操作感触用の永久磁石を対設させて配置構成し、対向する両永久磁石間で磁気吸着作用と磁気反発作用とが回転操作時に交互に生じて、回転方向の操作感触を磁気作用により得ることもできる。
【００７３】
このようにして、操作ダイヤル２５はコ型枠体３３と枠止め板３４とに軸支されて正逆転自由に設けられる（図３および図４参照）。また、操作ダイヤル２５を一体に軸支する左側のコ型枠体３４の中央側下面に中央押子２７を垂設している。
【００７４】
ところで、一体型操作ボタン１６を備えた場合に、このボタン１６の両側の真下に上下方向の押下ストロークを得るための内部空間を必要とするが、この内部空間に相当する操作ダイヤルの一端部の小径軸上に永久磁石３１を効率よく周設して組込むことができるため、永久磁石３１を組込んでも入力装置１４は大型化することはない。
【００７５】
このように構成された入力装置１４が利用者に入力操作されたとき、例えば表示器１３の表示画像を上下方向にスクロールするために利用者が操作ダイヤル２５の上面を指先で軽く接した状態で回すと、これに連動して同軸上の永久磁石３１が同方向に回転し、このときの永久磁石３１のＮ極とＳ極との異極性間に交互に表れる磁界μの強弱変化や発生数を下方に対応するホールＩＣ２２で検知して電気信号に変換することにより、回転操作された操作ダイヤル２５の正逆いずれかの回転方向と回転量を図示しない中央処理装置に伝送して、表示画像を回転操作された上方向または下方向にスクロール制御する。
【００７６】
これにより、表示器１３に、例えば表示メニュ、発着信履歴リスト、電話帳リストなどの表示項目あるいはゲーム画像などがスクロール表示される。また、スクロール操作以外に表示画面上のカーソルを移動表示させることもできる。
【００７７】
また、操作ダイヤル２５は、通常、回転操作以外に押下可能な押下待機状態にあり、操作ダイヤル２５を下方に押すと、操作ダイヤル２５は下方に押し下げられて下動し、これに伴い中央押子２７が下方に押下対応する第１押下検知スイッチＳＷ１を押下してスイッチング動作する。これにより、表示器１３に表示されている表示項目の選択や確定を実行することができる。
【００７８】
さらに、一体型操作ボタン１６の左側が押下操作された場合は、該一体型操作ボタン１６の左側が下動して第２押下検知スイッチＳＷ２をスイッチング操作し、左側の入力信号が検知される。同様に、一体型操作ボタン１６の右側が押下操作された場合は、該一体型操作ボタン１６の右側が下動して第３押下検知スイッチＳＷ３をスイッチング操作し、右側の入力信号が検知される。
【００７９】
このように、操作ダイヤル２５の回転情報を非接触に検知できるため、物理的に回転接触して検知信号を取得するという機械的な接触部分が無くなることから検知性能の向上、信頼性の向上および寿命延長が図れる。また、この非接触検知機能に加えて、該操作ダイヤル２５自体の押下検知機能と、一体型操作ボタン１６の押下検知機能とを組合せて多機能の検知構成の入力部を構築することができる。
【００８０】
上述のように、シーソ状に傾動許容する一体型の操作ボタンを設けることによって、左右両側に必要な入力操作部を単一の部品でまかなうことができ、両側の押下操作機能を維持しながら１部品で構成できるため左右方向の小型化が可能になる。
【００８１】
この発明の構成と、上述の実施の形態の構成との対応において、
この発明の回転体は、実施の形態の操作ダイヤル２５に対応し、
以下同様に、
装置本体は、ケース本体１２に対応し、
対向部材は、フレキシブル基板１８とベース１９に対応し、
検知手段は、ホールＩＣ２２に対応し、
電子機器は、携帯電話機１１に対応するも、
この発明は、請求項に示される技術思想に基づいて応用することができ、上述の実施の形態の構成のみに限定されるものではない。
【００８２】
例えば、上述の実施の形態では検知手段にホールＩＣを適用したが、これに限らず、ホール素子とＩＣとの組合せでも構成することができる。
【００８３】
また、上述の入力装置１４ではベース１９上にフレキシブル基板１８を搭載して配線接続するものを示したが、これに限らず、ベース１９の下面に、前記第１〜第３押下検知スイッチＳＷ１〜ＳＷ３およびホールＩＣ２２とそれぞれ対応する各端子を直付けした入力装置を設けることもできる。
【００８４】
【発明の効果】
この発明によれば、両側の操作ボタンを１つにできるだけでなく、両側の軸支構造をも削減して部品点数の削減および組立工数の削減が図れ、低コスト化にもつながる。
【図面の簡単な説明】
【図１】携帯電話機に適用した入力装置の平面図。
【図２】入力装置の組立て状態を示す外観斜視図。
【図３】入力装置を展開して示す展開斜視図。
【図４】フレキシブル基板の搭載状態を示す斜視図。
【図５】操作ダイヤルユニットの搭載状態示す斜視図。
【図６】入力装置の３個の押下検知スイッチの配置関係を示す平面図。
【図７】入力装置への入力操作状態を示す側面図。
【図８】操作ダイヤルユニットを分解して示す外観斜視図。
【図９】磁界の発生状態を示す永久磁石の外観斜視図。
【符号の説明】
１１…携帯電話機
１４…入力装置
１６…一体型操作ボタン
２５…操作ダイヤル
ＳＷ１〜ＳＷ３…押下検知スイッチ
【図１】
2004139256.tif 000003
【図２】
2004139256.tif 000004
【図３】
2004139256.tif 000005
【図４】
2004139256.tif 000006
【図５】
2004139256.tif 000007
【図６】
2004139256.tif 000008
【図７】
2004139256.tif 000009
【図８】
2004139256.tif 000010
【図９】
2004139256.tif 000011